【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
無線通信のための方法であって、
無線通信装置が、省電力モードが起動されたかどうかを判定することと、
前記無線通信装置が、前記省電力モードが起動されたという前記判定に基づいて、プロキシ・ホスト端末を発見することと、
前記無線通信装置が、前記発見されたプロキシ・ホスト端末との通信リンクを確立することと、
前記確立された通信リンクに基づいて、前記プロキシ・ホスト端末に少なくとも１つのタスクを委任することと、
を備える方法。
【請求項２】
前記通信リンクは、前記無線通信装置の低電力トランシーバによって確立される、請求項１に記載の方法。
【請求項３】
前記無線通信装置の１つまたは複数の高電力トランシーバを停止することをさらに備える、請求項２に記載の方法。
【請求項４】
前記１つまたは複数の高電力トランシーバは、グローバル・ナビゲーション衛星システム（ＧＮＳＳ）トランシーバ、広域ネットワーク（ＷＡＮ）トランシーバ、またはローカル・エリア・ネットワーク（ＬＡＮ）トランシーバのうちの少なくとも１つを含む、請求項３に記載の方法。
【請求項５】
前記プロキシ・ホスト端末から、前記無線通信装置に対するページング・メッセージの少なくとも一部を受信することと、
前記ページング・メッセージの前記少なくとも一部に基づいて、前記１つまたは複数の高電力トランシーバのうちの少なくとも１つを再度起動することと、
前記少なくとも１つの再度起動された高電力トランシーバを用いて、前記ページング・メッセージの前記少なくとも一部に基づいて、基地局に応答することと、
をさらに備える、請求項３に記載の方法。
【請求項６】
前記少なくとも１つのタスクを委任することは、前記プロキシ・ホスト端末の１つまたは複数の機能に基づく、請求項１に記載の方法。
【請求項７】
前記プロキシ・ホスト端末から、前記１つまたは複数の機能の指示を受信することをさらに備える、請求項６に記載の方法。
【請求項８】
前記少なくとも１つのタスクは、グローバル・ナビゲーション衛星システム（ＧＮＳＳ）ナビゲーション、ネットワーク探索および獲得、基地局信号モニタリング、パターン識別、パターン分類、または、感知のうちの少なくとも１つを含む、請求項１に記載の方法。
【請求項９】
装置であって、
前記装置が、省電力モードが起動されたかどうかを判定するための手段と、
前記装置が、前記省電力モードが起動されたという前記判定に基づいて、プロキシ・ホスト端末を発見するための手段と、
前記装置が、前記発見されたプロキシ・ホスト端末との通信リンクを確立するための手段と、
前記確立された通信リンクに基づいて、前記プロキシ・ホスト端末に少なくとも１つのタスクを委任するための手段と、
を備える装置。
【請求項１０】
前記通信リンクは、前記装置の低電力トランシーバによって確立される、請求項９に記載の装置。
【請求項１１】
前記装置の１つまたは複数の高電力トランシーバを停止するための手段をさらに備える、請求項１０に記載の装置。
【請求項１２】
前記１つまたは複数の高電力トランシーバは、グローバル・ナビゲーション衛星システム（ＧＮＳＳ）トランシーバ、広域ネットワーク（ＷＡＮ）トランシーバ、またはローカル・エリア・ネットワーク（ＬＡＮ）トランシーバのうちの少なくとも１つを含む、請求項１１に記載の装置。
【請求項１３】
前記プロキシ・ホスト端末から、前記装置に対するページング・メッセージの少なくとも一部を受信するための手段と、
前記ページング・メッセージの前記少なくとも一部に基づいて、前記１つまたは複数の高電力トランシーバのうちの少なくとも１つを再度起動することと、
前記少なくとも１つの再度起動された高電力トランシーバを用いて、前記ページング・メッセージの前記少なくとも一部に基づいて、基地局に応答することと／ための手段と／、
をさらに備える、請求項１１に記載の装置。
【請求項１４】
前記少なくとも１つのタスクを委任するための手段は、前記プロキシ・ホスト端末の１つまたは複数の機能に基づいて前記少なくとも１つのタスクを委任するように構成される、請求項９に記載の装置。
【請求項１５】
前記プロキシ・ホスト端末から、前記１つまたは複数の機能の指示を受信するための手段をさらに備える、請求項１４に記載の装置。
【請求項１６】
前記少なくとも１つのタスクは、グローバル・ナビゲーション衛星システム（ＧＮＳＳ）ナビゲーション、ネットワーク探索および獲得、基地局信号モニタリング、パターン識別、パターン分類、または、感知のうちの少なくとも１つを含む、請求項９に記載の装置。
【請求項１７】
装置であって、
メモリと、
前記装置が、省電力モードが起動されたかどうかを判定することと、
前記装置が、前記省電力モードが起動されたという前記判定に基づいて、プロキシ・ホスト端末を発見することと、
前記装置が、前記発見されたプロキシ・ホスト端末との通信リンクを確立することと、
前記確立された通信リンクに基づいて、前記プロキシ・ホスト端末に少なくとも１つのタスクを委任することと、
を行うように構成され、前記メモリに結合された少なくとも１つのプロセッサと、
を備える装置。
【請求項１８】
前記通信リンクは、前記装置の低電力トランシーバによって確立される、請求項１７に記載の装置。
【請求項１９】
前記少なくとも１つのプロセッサは、前記装置の１つまたは複数の高電力トランシーバを停止するようにさらに構成される、請求項１８に記載の装置。
【請求項２０】
前記１つまたは複数の高電力トランシーバは、グローバル・ナビゲーション衛星システム（ＧＮＳＳ）トランシーバ、広域ネットワーク（ＷＡＮ）トランシーバ、またはローカル・エリア・ネットワーク（ＬＡＮ）トランシーバのうちの少なくとも１つを含む、請求項１９に記載の装置。
【請求項２１】
前記少なくとも１つのプロセッサは、
前記プロキシ・ホスト端末から、前記装置に対するページング・メッセージの少なくとも一部を受信することと、
前記ページング・メッセージの前記少なくとも一部に基づいて、前記１つまたは複数の高電力トランシーバのうちの少なくとも１つを再度起動することと、
前記少なくとも１つの再度起動された高電力トランシーバを用いて、前記ページング・メッセージの前記少なくとも一部に基づいて、基地局に応答することと、
を行うようにさらに構成される、請求項１９に記載の装置。
【請求項２２】
前記少なくとも１つのタスクの委任は、前記プロキシ・ホスト端末の１つまたは複数の機能に基づく、請求項１７に記載の装置。
【請求項２３】
前記少なくとも１つのプロセッサは、前記プロキシ・ホスト端末から、前記１つまたは複数の機能の指示を受信するようにさらに構成される、請求項２２に記載の装置。
【請求項２４】
前記少なくとも１つのタスクは、グローバル・ナビゲーション衛星システム（ＧＮＳＳ）ナビゲーション、ネットワーク探索および獲得、基地局信号モニタリング、パターン識別、パターン分類、または、感知のうちの少なくとも１つを含む、請求項１７に記載の装置。
【請求項２５】
無線通信のためのコンピュータ実行可能なコードを記憶するコンピュータ可読媒体であって、
無線通信装置が、省電力モードが起動されたかどうかを判定するためのコードと、
前記無線通信装置が、前記省電力モードが起動されたという前記判定に基づいて、プロキシ・ホスト端末を発見するためのコードと、
前記無線通信装置が、前記発見されたプロキシ・ホスト端末との通信リンクを確立するためのコード、
前記確立された通信リンクに基づいて、前記プロキシ・ホスト端末に少なくとも１つのタスクを委任するためのコードと、
を備えるコンピュータ可読媒体。